(57)【要約】【課題】どの端末装置でなされた書込みであるのかその来歴を明確に区別しながらも、全端末装置で１つの画像を共有する。【解決手段】資料画像を記憶した資料管理部14と、複数の端末装置から各端末固有の識別情報と共に送られてくる描画情報を受信するアンテナ20及び無線通信部16と、複数の描画情報を各識別情報と共に関連付けて記録する記録部19と、資料画像と複数の描画情報とを展開して重畳した画像情報を作成し、上記アンテナ20及び無線通信部16より複数の端末装置に対して送信させる制御部11とを備える。【選択図】      図２
2006018760.tif 000002
【特許請求の範囲】
【請求項１】
画像情報を受信する第１の受信手段、この第１の受信手段で受信した画像情報を展開して表示する表示手段、この表示手段で表示された画像に対する筆記入力を行なう筆記入力手段、この筆記入力手段での筆記入力に対応した筆跡画像を上記表示手段での表示画像に重畳して表示させる筆跡表示手段、及び上記筆記入力手段での筆記入力に対応した描画情報を端末固有の識別情報と共に送信する第１の送信手段を備えた複数の端末装置と、
資料画像を記憶した資料記憶手段、上記複数の端末装置から各端末固有の識別情報と共に送られてくる描画情報を受信する第２の受信手段、この第２の受信手段で受信した複数の描画情報を各識別情報と共に関連付けて管理する管理手段、上記資料記憶手段に記憶される資料画像と上記管理手段で関連付けて管理される複数の描画情報とを展開して重畳した画像情報を作成する重畳画像作成手段、及びこの重畳画像作成手段で作成された画像情報を上記複数の端末装置に対して送信する第２の送信手段を備えた画像管理装置と
を有したことを特徴とする画像共有システム。
【請求項２】
上記重畳画像作成手段は、複数の描画情報をその識別情報毎に異なる視覚的表現手法を用いて画像情報を作成することを特徴とする請求項１記載の画像共有システム。
【請求項３】
上記資料記憶手段は、複数ページの資料画像を記憶し、
上記管理手段は、資料画像のページ毎に複数の描画情報を各識別情報と共に関連付けて管理する
ことを特徴とする請求項１記載の画像共有システム。
【請求項４】
上記画像管理装置は、上記資料画像と組合わせる複数のテンプレート画像を記憶したテンプレート記憶手段をさらに備え、
上記複数の端末装置は、上記テンプレート記憶手段に記憶される複数のテンプレート画像のうちの少なくとも１つを指定するテンプレート指定手段をさらに備え、
上記重畳画像作成手段は、上記資料記憶手段に記憶される資料画像と上記管理手段で関連付けて管理される複数の描画情報、及び上記テンプレート指定手段で指定されたテンプレート画像を展開して重畳した画像情報を作成する
ことを特徴とする請求項１記載の画像共有システム。
【請求項５】
画像情報を受信する受信ステップと、
この受信ステップで受信した画像情報を展開して表示するステップと、
この表示ステップで表示した画像に対する筆記入力を行なう筆記入力ステップと、
この筆記入力ステップでの筆記入力に対応した筆跡画像を上記表示画像に重畳して表示させる筆跡表示ステップと、
上記筆記入力ステップでの筆記入力に対応した描画情報を固有の識別情報と共に送信する送信ステップと
をコンピュータに実行させることを特徴とするプログラム。
【請求項６】
資料画像を記憶する資料記憶ステップと、
複数の端末装置から各端末固有の識別情報と共に送られてくる描画情報を受信する受信ステップと、
この第２の手段で受信した複数の描画情報を各識別情報と共に関連付けて管理する管理ステップと、
上記資料記憶ステップで記憶した資料画像と上記管理ステップで関連付けて管理する複数の描画情報とを展開して重畳した画像情報を作成する重畳画像作成ステップと、
この重畳画像作成ステップで作成した画像情報を上記複数の端末装置に対して送信する送信ステップと
をコンピュータに実行させることを特徴とするプログラム。
【発明の詳細な説明】
【技術分野】
【０００１】
本発明は、例えば画像を媒体とした電子会議等に好適な画像共有システム及びプログラムに関する。
【背景技術】
【０００２】
従来、複数の端末装置から入力された書込みデータを、共有表示装置に転送し、これを受信した共有表示装置が更新された内容を共有画面に表示すると同時に、各端末装置にその更新情報を転送するようにした技術が考えられていた。（例えば、特許文献１）
【特許文献１】特開平０５−０５６４２５号公報
【発明の開示】
【発明が解決しようとする課題】
【０００３】
しかしながら、上記特許文献の技術は、単に元の画像と端末装置で書込んだ画像を重畳して共有する、というものであり、一旦書込まれた内容はそれまでの他の書込みと混在して管理されるため、書込みのどの部分がどの端末装置からなされたものであるか、等を判断することができない。
【０００４】
本発明は上記のような実情に鑑みてなされたもので、その目的とするところは、どの端末装置でなされた書込みであるのかその来歴を明確に区別しながらも、全端末装置で１つの画像を共有することが可能な画像共有システム及びプログラムを提供することにある。
【課題を解決するための手段】
【０００５】
請求項１記載の発明は、画像情報を受信する第１の受信手段、この第１の受信手段で受信した画像情報を展開して表示する表示手段、この表示手段で表示された画像に対する筆記入力を行なう筆記入力手段、この筆記入力手段での筆記入力に対応した筆跡画像を上記表示手段での表示画像に重畳して表示させる筆跡表示手段、及び上記筆記入力手段での筆記入力に対応した描画情報を端末固有の識別情報と共に送信する第１の送信手段を備えた複数の端末装置と、資料画像を記憶した資料記憶手段、上記複数の端末装置から各端末固有の識別情報と共に送られてくる描画情報を受信する第２の受信手段、この第２の受信手段で受信した複数の描画情報を各識別情報と共に関連付けて管理する管理手段、上記資料記憶手段に記憶される資料画像と上記管理手段で関連付けて管理される複数の描画情報とを展開して重畳した画像情報を作成する重畳画像作成手段、及びこの重畳画像作成手段で作成された画像情報を上記複数の端末装置に対して送信する第２の送信手段を備えた画像管理装置とを有したことを特徴とする。
【０００６】
請求項２記載の発明は、上記請求項１記載の発明において、上記重畳画像作成手段は、複数の描画情報をその識別情報毎に異なる視覚的表現手法を用いて画像情報を作成することを特徴とする。
【０００７】
請求項３記載の発明は、上記請求項１記載の発明において、上記資料記憶手段は、複数ページの資料画像を記憶し、上記管理手段は、資料画像のページ毎に複数の描画情報を各識別情報と共に関連付けて管理することを特徴とする。
【０００８】
請求項４記載の発明は、上記請求項１記載の発明において、上記画像管理装置は、上記資料画像と組合わせる複数のテンプレート画像を記憶したテンプレート記憶手段をさらに備え、上記複数の端末装置は、上記テンプレート記憶手段に記憶される複数のテンプレート画像のうちの少なくとも１つを指定するテンプレート指定手段をさらに備え、上記重畳画像作成手段は、上記資料記憶手段に記憶される資料画像と上記管理手段で関連付けて管理される複数の描画情報、及び上記テンプレート指定手段で指定されたテンプレート画像を展開して重畳した画像情報を作成することを特徴とする。
【０００９】
請求項５記載の発明は、画像情報を受信する受信ステップと、この受信ステップで受信した画像情報を展開して表示するステップと、この表示ステップで表示した画像に対する筆記入力を行なう筆記入力ステップと、この筆記入力ステップでの筆記入力に対応した筆跡画像を上記表示画像に重畳して表示させる筆跡表示ステップと、上記筆記入力ステップでの筆記入力に対応した描画情報を固有の識別情報と共に送信する送信ステップとをコンピュータに実行させることを特徴とする。
【００１０】
請求項６記載の発明は、資料画像を記憶する資料記憶ステップと、複数の端末装置から各端末固有の識別情報と共に送られてくる描画情報を受信する受信ステップと、この第２の手段で受信した複数の描画情報を各識別情報と共に関連付けて管理する管理ステップと、上記資料記憶ステップで記憶した資料画像と上記管理ステップで関連付けて管理する複数の描画情報とを展開して重畳した画像情報を作成する重畳画像作成ステップと、この重畳画像作成ステップで作成した画像情報を上記複数の端末装置に対して送信する送信ステップとをコンピュータに実行させることを特徴とする。
【発明の効果】
【００１１】
請求項１記載の発明によれば、個々の端末装置ではその端末固有の識別情報を付加した描画情報を送信し、画像管理装置は識別情報を付加した描画情報を管理しながらそれらを重畳した画像を作成して全端末装置に送信するようになるため、管理された内容からどの書込み部分がどの端末装置によってなされたものであるのか、必要に応じてその来歴を認識することができる。
【００１２】
請求項２記載の発明によれば、上記請求項１記載の発明の効果に加えて、例えば書込みを行なった端末装置毎に異なる色等で重畳画像を作成するものとすれば、どの書込み部分をどの端末装置で行なったのかが一目で理解できる。
【００１３】
請求項３記載の発明によれば、上記請求項１記載の発明の効果に加えて、複数ページに渡って各ページ毎に画像を管理することとなり、各種の資料など取扱うことのできる画像の範囲を大きく広げることができる。
【００１４】
請求項４記載の発明によれば、上記請求項１記載の発明の効果に加えて、書込む内容のバリエーションを増加し、より表現力を増した書込みを実行することができる。
【００１５】
請求項５記載の発明によれば、個々の端末装置からその端末固有の識別情報を付加した描画情報を送信することで、これを受ける管理装置の側ではどの書込み部分がどの端末装置によってなされてものであるのか必要に応じてその来歴を容易に認識することができる。
【００１６】
請求項６記載の発明によれば、個々の端末装置から受信した、端末固有の識別情報を付加した描画情報を管理しながらそれらを重畳した画像を作成して全端末装置に送信するようにしたため、管理する内容からどの書込み部分がどの端末装置によってなされたものであるのか、必要に応じてその来歴を容易に認識することができる。
【発明を実施するための最良の形態】
【００１７】
（第１の実施の形態）  
以下本発明をノートブックタイプのパーソナルコンピュータを画像管理装置とし、ペン入力タイプの複数のＰＤＡ（Ｐｅｒｓｏｎａｌ  Ｄｉｇｉｔａｌ  Ａｓｓｉｓｔａｎｔｓ：個人向け携帯情報端末）を端末装置とした画像共有システムに適用した場合の第１の実施の形態について図面を参照して説明する。
【００１８】
図１は、システム全体の外観構成を示すものである。同図で、１が画像管理装置となるパーソナルコンピュータ（ＰＣ）であり、このパーソナルコンピュータ１に対して、例えばＩＥＥＥ８０２．１１ｇ規格に則った無線ＬＡＮ技術により、端末装置となる複数のＰＤＡ２，２，‥‥が無線接続されて画像共有システムが構築される。
【００１９】
ここで、パーソナルコンピュータ１は、必要に応じて例えばプロジェクタ３と接続され、後述する画像情報を適宜ここでは図示しないスクリーンに投影することが可能であるものとする。
【００２０】
各ＰＤＡ２は、ＰＤＡ本体２ａとスタライスペン２ｂとで構成され、ＰＤＡ本体２ａで電源キーを含むいくつかの操作キーと共に、表示部画面に一体に設けられたタブレット入力部を配設し、該タブレット入力部上でスタライスペン２ｂによる筆記入力またはポインティング操作を行なうことで、描画と所定の機能の指示とを行なう。
【００２１】
図２は、上記パーソナルコンピュータ１の画像管理装置としての機能構成を示すものである。同図中、１１がＣＰＵとその動作プログラムを記憶したメモリ、及びそのワークエリア等で構成される制御部であり、この制御部１１がパーソナルコンピュータ１全体の動作を統括制御するもので、キーボード及びマウス等のポインティングデバイスを含むキー入力部１２からの入力が直接入力されると共に、タイマ１３、資料管理部１４、レイヤ管理部１５、無線通信部１６、表示制御部１７、画像変換部１８、及び記録部１９をバス接続する。
【００２２】
タイマ１３は、このパーソナルコンピュータ１の電源のオン／オフ状態に関係なく現在の時刻を計時し続けるＲＴＣ（Ｒｅａｌ  Ｔｉｍｅ  Ｃｌｏｃｋ）でなり、制御部１１はこのタイマ１３が計時する現在時刻にしたがって複数のＰＤＡ２，２，‥‥との送受信タイミングを判断する。
【００２３】
資料管理部１４は、予め用意された資料画像データを記憶、管理するものであり、制御部１１からの制御に基づいて資料画像データを読出す。
【００２４】
レイヤ管理部１５は、複数のＰＤＡ２，２，‥‥個々のＩＤ情報とそれに対応する描画データの表示の有無、表示色、及びポインタ情報を記憶、管理する。
【００２５】
無線通信部１６は、アンテナ２０を介してＰＤＡ２，２，‥‥と上述した無線ＬＡＮ技術に従った画像データの送受信を実行する。
【００２６】
表示制御部１７は、このパーソナルコンピュータ１の表示部２１に対して表示データをそうして表示駆動させる。表示部２１は、例えばバックライト付きのカラー液晶表示パネルで構成され、後述する重畳画像その他を表示する。
【００２７】
画像変換部１８は、必要に応じて各種規格に従った画像データの展開と展開されたデータの所定の規格の画像データへのフォーマット化とを行なう。
【００２８】
記録部１９は、資料管理部１４に記憶される資料画像に対してＰＤＡ２，２，‥‥から送られてきた描画データを重畳した画像データを制御部１１の指示に基づいて記録する。
【００２９】
次に図３により上記ＰＤＡ２の端末装置としての機能構成を説明する。  
同図で示すようにＰＤＡ２は、制御部３１に対して、キー入力部３２が直接接続されると共に、画像記憶部３３、無線通信部３４、表示制御部３５、タブレット制御部３６、及びインクデータ記憶部３７がバス接続される。
【００３０】
制御部３１は、ＣＰＵとその動作プログラムを記憶したメモリ、及びそのワークエリア等で構成され、このＰＤＡ２全体の動作を統括制御する。
【００３１】
画像記憶部３３は、パーソナルコンピュータ１から送られてきた画像データを記憶する。無線通信部３４は、アンテナ３８を介して上記パーソナルコンピュータ１と上述した無線ＬＡＮ技術に従った画像データの送受信を実行する。
【００３２】
表示制御部１７は、このＰＤＡ２の表示部３９に対して画像データを送出して表示駆動させる。表示部３９は、例えばバックライト付きのカラー液晶表示パネルで構成されるもので、この表示部３９に対して透明電極板でなるタブレット入力部４０が一体に構成される。
【００３３】
このタブレット入力部４０をタブレット制御部３６が走査制御し、上記スタライスペン２ｂの当接動作あるいは筆記動作に応じた二次元座標データを随時抽出するものであり、抽出した時系列の座標値データがインクデータとしてインクデータ記憶部３７に記憶される。
【００３４】
なお、インクデータ記憶部３７に記憶されるインクデータをパーソナルコンピュータ１からの送信要求によって適宜パーソナルコンピュータ１へ送信し、送信したデータ部分についてはインクデータ記憶部３７から自動的に消去するものであり、パーソナルコンピュータ１は各ＰＤＡ２から送られてきたインクデータと資料データとを重畳して画像データを作成し、これを全ＰＤＡ２，２，‥‥に一括配信する。
【００３５】
次に上記実施の形態の動作について説明する。  
図４は、端末装置であるＰＤＡ２側の画像データの取扱いに関する、主として制御部３１による処理内容を示すもので、その当初に、スタライスペン２ｂによるタブレット入力部４０への筆記操作があるか否か（ステップＡ０１）、パーソナルコンピュータ１からインクデータの送信要求があるか否か（ステップＡ０４）、パーソナルコンピュータ１から画像データを受信したか否か（ステップＡ０６）を繰返し判断することで、これらのいずれかの状態となるのを待機する。
【００３６】
しかして、スタライスペン２ｂによりタブレット入力部４０への筆記操作があった場合、ステップＡ０１でこれを判断し、その操作位置に応じた時系列上の二次元座標値データをインクデータとしてインクデータ記憶部３７に更新記憶させると共に（ステップＡ０２）、当該筆記操作位置に対応する筆跡の表示データをリアルタイムで作成して表示制御部３５より表示部３９に表示させ、あたかもスタライスペン２ｂで直接表示部３９上に描画を行なっているような表示制御を実行した上（ステップＡ０３）で、上記ステップＡ０４に進む、という処理を繰返し実行することで、スタライスペン２ｂでの筆記操作に伴うインクデータをインクデータ記憶部３７に蓄積すると共に、その操作に対応した筆跡を表示させていく。
【００３７】
図６は、このときスタライスペン２ｂとタブレット入力部４０により筆記操作された内容を例示するもので、タブレット入力部４０の例えば左上端を基点としてその横方向をｘ座標、縦方向をｙ座標とし、一連の筆記操作、すなわちスタライスペン２ｂがタブレット入力部４０に当接されてから離間されるまでに移動した軌跡の範囲をｘ座標値が「ｘ０」から「ｘ１」まで、ｙ座標値が「ｙ０」から「ｙ１」までとすると、筆記操作された軌跡中の任意の１点の座標位置は「ｘｍ，ｙｎ」（ｘ０≦ｘｍ≦ｘ１，ｙ０≦ｙｎ≦ｙ１）で表すことができる。
【００３８】
したがって、このような点座標を配列した一連のデータでインクデータを形成することができるもので、筆記操作に対応してインクデータ記憶部３７に順次インクデータが蓄積されていく。
【００３９】
また、パーソナルコンピュータ１からインクデータの送信要求を受信した場合には、ステップＡ０４でこれを判断し、その時点でインクデータ記憶部３７に記憶しているインクデータを用いて所定のフォーマットの送信データを作成し、無線通信部３４、アンテナ３８を介してパーソナルコンピュータ１側へ送信出力させ（ステップＡ０５）、次いで上記ステップＡ０６に至る。
【００４０】
図７は、このとき作成されるインクデータのフォーマット構成を例示するものである。同図に示す如く、インクデータ記憶部３７に記憶されていたインクデータがそのまま読出されると共に、このＰＤＡ２固有の端末ＩＤ情報と、この表示部３９及びタブレット入力部４０の表示／入力分解能を示す端末解像度、表示部３９及びタブレット入力部４０のｘ座標及びｙ座標の各最大値を示す絶対アドレス、及び線の太さや線種等を示すインクデータを一組のデータとして作成するものとする。
【００４１】
こうしてインクデータ記憶部３７からインクデータを読出してフォーマット化するのに際し、上述した如くインクデータ記憶部３７では読出したインクデータを自動的に消去し、後述する画像データの受信と表示により内容が重複することをできる限り回避する。
【００４２】
また、上記ステップＡ０６にてパーソナルコンピュータ１から送ってきた画像データを受信したと判断した場合、制御部３１は受信したデータを画像記憶部３３に記憶させると共にその画像データとインクデータ記憶部３７に記憶されているインクデータをそれぞれ展開して重畳することで表示データを作成し、表示制御部３５により表示部３９で表示させた後（ステップＡ０７）、再び上記ステップＡ０１からの処理に戻る。
【００４３】
以上のように、ＰＤＡ２側では筆記操作に伴うインクデータの作成と、パーソナルコンピュータ１からの要求に応答したインクデータの送信、及びパーソナルコンピュータ１からの画像データの受信並びに表示を順次実行する。
【００４４】
次に、上記のように動作する複数のＰＤＡ２，２，‥‥を統括する画像管理装置としてのパーソナルコンピュータ１の動作について図５により説明する。  
すなわち図５は、パーソナルコンピュータ１が画像管理装置としてこの画像共有システム内で実行する統括制御処理の内容を示すもので、その当初には、資料管理部１４に記憶される資料画像データを読出して記録部１９に記録した上で（ステップＢ０１）、タイマ１３の計時内容により例えば５［秒］毎の各ＰＤＡ２，２，‥‥へのアクセスタイミングとなるのを待機する（ステップＢ０２）。
【００４５】
そして、アクセスタイミングとなったと判断した時点で、複数のＰＤＡ２，２，‥‥の１つを選択するための端末ＩＤ変数ｉに初期値「１」を設定し（ステップＢ０３）、まず端末ＩＤ情報が「１」であるＰＤＡ２に対してインクデータの送信要求を送信し、この要求に対応して送られてくるインクデータを受信して取得し（ステップＢ０４）、記録部１９に記録する（ステップＢ０５）。
【００４６】
次いで、端末ＩＤ変数ｉを「＋１」更新設定して「２」とし（ステップＢ０６）、この更新設定した値が全ＰＤＡ２，２，‥‥の総数「ｎ」を超えていないことを確認した上で（ステップＢ０７）、再び上記ステップＢ０４からの処理に戻り、次の端末ＩＤ情報に該当するＰＤＡ２からもインクデータを取得する。
【００４７】
こうしてステップＢ０４〜Ｂ０７の処理を繰返し実行することで、端末ＩＤ情報を更新設定しながらその該当する端末装置であるＰＤＡ２からインクデータを取得して記録する、という処理を順次行なう。
【００４８】
そして、すべてのＰＤＡ２，２，‥‥からインクデータを取得した状態で、ステップＢ０６において端末ＩＤ変数ｉをＰＤＡ２，２，‥‥の総数「ｎ」を超える値「ｎ＋１」に更新設定すると、これをステップＢ０７で判断し、すべてのＰＤＡ２，２，‥‥からのインクデータの取得と記録とが終了したものと判断し、記録部１９に記録される資料画像データと全ＰＤＡ２，２，‥‥からのインクデータとを展開して重畳することで画像データを作成する（ステップＢ０８）。
【００４９】
図８は、このとき記録部１９に記録される資料画像と各ＰＤＡ２，２，‥‥からの手書きによるインクデータの記録状態を例示するもので、元の資料データと、全ＰＤＡ２，２，‥‥から取得したインクデータとを混在させず、分離したレイヤー（多層）構造としたままで管理していることがわかる。
【００５０】
また、図９に示すようにＰＤＡ２，２，‥‥の端末ＩＤ情報に対しては、予めその表示の有無や手書きされたインクデータに対応する色情報、及び表示ポインタの情報をレイヤ管理部１５に予め用意しておくものとする。
【００５１】
したがって、上記ステップＢ０８で元の資料データとインクデータとを展開して重畳した画像データを作成する際に、このレイヤ管理部１５の内容を参照して各ＰＤＡ２毎にインクデータの色等を設定された内容にしたがって作成するものとすると、最終的に作成される画像データは、ＰＤＡ２毎にインクデータの内容が色分けされ、且つ描画の最終位置に形の異なるポインタが付加されることとなる。そのため、この画像データでは、どの端末での筆記操作によりどのような描画がなされたのか、また、その最終描画位置はどこか、を一目で視認することができる。
【００５２】
こうして作成した画像データをパーソナルコンピュータ１は全ＰＤＡ２，２，‥‥に対して一括送信すると共に（ステップＢ０９）、自装置の表示部２１でも表示し（ステップＢ１０）、それから再び上記ステップＢ０２に戻って、次のＰＤＡ２，２，‥‥へのアクセスタイミングとなるのを待機する。
【００５３】
以下、個々の端末装置側のＰＤＡ２，２，‥‥ではその端末固有のＩＤ情報を付加したインクデータを送信し、これを受ける画像管理装置であるパーソナルコンピュータ１はＩＤ情報を付加したインクデータをレイヤー構造を有するものとして記録部１９に記録して管理しながら、それらを重畳した画像データを作成して全ＰＤＡ２，２，‥‥に一括送信する、という処理を繰返し実行する。
【００５４】
このように、パーソナルコンピュータ１では記録部１９に記録されている内容から、どの書込み部分がどのＰＤＡ２によってなされたものであるのか、必要に応じてその来歴を適宜抽出して認識することができる。
【００５５】
加えて、書込みを行なったＰＤＡ２毎に描画内容を例えば色分けして重畳した画像データを作成するものとしたので、どの書込み部分をどのＰＤＡ２で行なったのかが一目で理解できる。
【００５６】
（第２の実施の形態）  
以下本発明をノートブックタイプのパーソナルコンピュータを画像管理装置とし、ペン入力タイプの複数のＰＤＡを端末装置とした画像共有システムに適用した場合の第２の実施の形態について図面を参照して説明する。
【００５７】
なお、システム全体の外観構成については上記図１に示したものとほぼ同様であり、同一部分には同一符号を用いるものとして、その図示と説明とを省略する。  
次いで図１０により画像管理装置であるパーソナルコンピュータ１の機能構成を示す。この図１０においても、パーソナルコンピュータ１の基本的な機能構成は上記図２に示したものと基本的には同様であるので、同一部分には同一符号を付してその説明を省略する。
【００５８】
しかして、資料管理部１４は、予め用意された複数ページ分の資料画像データを記憶、管理するもので、最終ページを除く他の全ページの資料画像データ中の１端部、例えば右上端には、次ページへのページ更新を指示するための改頁マークが付加されているものとする。
【００５９】
また、制御部１１にはさらに、その時点で処理しているのがどのページであるのか、また最終ページは何ページまであるのかを管理するページ管理部４１が接続されるものとする。
【００６０】
なお、端末装置であるＰＤＡ２の機能構成については、上記図３に示したものとほぼ同様であるので、同一部分には同一符号を付してその説明を省略する。
【００６１】
次に上記実施の形態の動作について説明する。
【００６２】
図１１は、端末装置であるＰＤＡ２側の画像データの取扱いに関する、主として制御部３１による処理内容を示すもので、その当初に、スタライスペン２ｂによるタブレット入力部４０への筆記操作があるか否か（ステップＣ０１）、特に表示されている画像データ中の改ページマークを指示する操作があったか否か（ステップＣ０４）、パーソナルコンピュータ１からインクデータの送信要求があるか否か（ステップＣ０６）、パーソナルコンピュータ１から画像データを受信したか否か（ステップＣ０８）を繰返し判断することで、これらのいずれかの状態となるのを待機する。
【００６３】
しかして、スタライスペン２ｂによりタブレット入力部４０への筆記操作があった場合、ステップＣ０１でこれを判断し、その操作位置に応じた時系列上の二次元座標値データをインクデータとしてインクデータ記憶部３７に更新記憶させると共に（ステップＣ０２）、当該筆記操作位置に対応する筆跡の表示データをリアルタイムで作成して表示制御部３５より表示部３９に表示させ、あたかもスタライスペン２ｂで直接表示部３９上に描画を行なっているような表示制御を実行した上（ステップＣ０３）で、上記ステップＣ０４に進む、という処理を繰返し実行することで、スタライスペン２ｂでの筆記操作に伴うインクデータをインクデータ記憶部３７に蓄積すると共に、その操作に対応した筆跡を表示させていく。
【００６４】
このときタブレット入力部４０の例えば左上端を基点としてその横方向をｘ座標、縦方向をｙ座標とし、一連の筆記操作、すなわちスタライスペン２ｂがタブレット入力部４０に当接されてから離間されるまでに移動した軌跡の範囲をｘ座標値が「ｘ０」から「ｘ１」まで、ｙ座標値が「ｙ０」から「ｙ１」までとすると、筆記操作された軌跡中の任意の１点の座標位置は「ｘｍ，ｙｎ」（ｘ０≦ｘｍ≦ｘ１，ｙ０≦ｙｎ≦ｙ１）で表すことができる。
【００６５】
したがって、このような点座標を配列した一連のデータでインクデータを形成することができるもので、筆記操作に対応してインクデータ記憶部３７に順次インクデータが蓄積されていく。
【００６６】
また、表示されている画像データ中の特に改ページマークを指示する操作があった場合、ステップＣ０４でこれを判断し、インクデータ記憶部３７にインクデータに付加する形で改ページ要求のデータを記憶させておき（ステップＣ０５）、それから上記ステップＣ０６に進む。
【００６７】
さらに、パーソナルコンピュータ１からインクデータの送信要求を受信した場合には、ステップＣ０６でこれを判断し、その時点でインクデータ記憶部３７に記憶しているインクデータを用いて所定のフォーマットの送信データを作成し、無線通信部３４、アンテナ３８を介してパーソナルコンピュータ１側へ送信出力させ（ステップＣ０７）、次いで上記ステップＣ０８に至る。
【００６８】
このとき作成されるインクデータのフォーマット構成は、ほぼ上記図７に示した内容とほぼ同様であり、インクデータ記憶部３７に記憶されていたインクデータがそのまま読出されると共に、このＰＤＡ２固有の端末ＩＤ情報と、この表示部３９及びタブレット入力部４０の表示／入力分解能を示す端末解像度、表示部３９及びタブレット入力部４０のｘ座標及びｙ座標の各最大値を示す絶対アドレス、及び線の太さや線種等を示すインクデータが一組のデータとして作成されると共に、加えて上記ステップＣ０４で改ページマークを指示する操作があったと判断した場合には、改ページ要求のデータが付加設定される。
【００６９】
このインクデータ記憶部３７からインクデータを読出してフォーマット化するのに際し、インクデータ記憶部３７では読出したインクデータを自動的に消去し、後述する画像データの受信と表示により内容が重複することをできる限り回避する。
【００７０】
また、上記ステップＣ０８にてパーソナルコンピュータ１から送ってきた画像データを受信したと判断した場合、制御部３１は受信したデータを画像記憶部３３に記憶させると共にその画像データとインクデータ記憶部３７に記憶されているインクデータをそれぞれ展開して重畳することで表示データを作成し、表示制御部３５により表示部３９で表示させた後（ステップＣ０９）、再び上記ステップＣ０１からの処理に戻る。
【００７１】
以上のように、ＰＤＡ２側では筆記操作に伴うインクデータの作成と、改ページマークの操作に伴う改ページ情報の記憶、パーソナルコンピュータ１からの要求に応答したインクデータと改ページ要求の送信、及びパーソナルコンピュータ１からの画像データの受信並びに表示を順次実行する。
【００７２】
次に、上記のように動作する複数のＰＤＡ２，２，‥‥を統括する画像管理装置としてのパーソナルコンピュータ１の動作について図１２により説明する。  
すなわち図１２は、パーソナルコンピュータ１が画像管理装置としてこの画像共有システム内で実行する統括制御処理の内容を示すもので、その当初には、資料管理部１４に記憶される最初のページの資料画像データを読出して展開し、記録部１９に記録した上で（ステップＤ０１）、タイマ１３の計時内容により例えば５［秒］毎の各ＰＤＡ２，２，‥‥へのアクセスタイミングとなるのを待機する（ステップＤ０２）。
【００７３】
そして、アクセスタイミングとなったと判断した時点で、複数のＰＤＡ２，２，‥‥の１つを選択するための端末ＩＤ変数ｉに初期値「１」を設定し（ステップＤ０３）、まず端末ＩＤ情報が「１」であるＰＤＡ２に対してインクデータの送信要求を送信し、この要求に対応して送られてくるインクデータ（及び付加されている改ページ要求）を受信して取得し（ステップＤ０４）、記録部１９に記録する（ステップＤ０５）。
【００７４】
次いで、端末ＩＤ変数ｉを「＋１」更新設定して「２」とし（ステップＤ０６）、この更新設定した値が全ＰＤＡ２，２，‥‥の総数「ｎ」を超えていないことを確認した上で（ステップＤ０７）、再び上記ステップＤ０４からの処理に戻り、次の端末ＩＤ情報に該当するＰＤＡ２からもインクデータを取得する。
【００７５】
こうしてステップＤ０４〜Ｂ０７の処理を繰返し実行することで、端末ＩＤ情報を更新設定しながらその該当する端末装置であるＰＤＡ２からインクデータを取得して記録する、という処理を順次行なう。
【００７６】
そして、すべてのＰＤＡ２，２，‥‥からインクデータを取得した状態で、ステップＤ０６において端末ＩＤ変数ｉをＰＤＡ２，２，‥‥の総数「ｎ」を超える値「ｎ＋１」に更新設定すると、これをステップＤ０７で判断し、すべてのＰＤＡ２，２，‥‥からのインクデータの取得と記録とが終了したものと判断し、次に上記取得したインクデータ中の少なくとも１つに改ページ要求が付加設定されていたか否かを判断する（ステップＤ０８）。
【００７７】
ここで、１つのインクデータにも改ページ要求が付加設定されていなかったと判断した場合には、その時点ですでに記録部１９に記録されている現ページの資料画像データと全ＰＤＡ２，２，‥‥からの対応するインクデータとを展開して重畳することで画像データを作成する（ステップＤ１３）。
【００７８】
このとき、上記図９に示したようにＰＤＡ２，２，‥‥の端末ＩＤ情報に対して、予めその表示の有無や手書きされたインクデータに対応する色情報、及び表示ポインタの情報をレイヤ管理部１５に予め用意しておくものとすると、上記ステップＤ１３で元の資料データとインクデータとを展開して重畳した画像データを作成する際に、このレイヤ管理部１５の内容を参照して各ＰＤＡ２毎にインクデータの色等を設定された内容にしたがって作成することで、最終的に作成される画像データは、ＰＤＡ２毎にインクデータの内容が色分けされ、且つ描画の最終位置に形の異なるポインタが付加されることとなる。そのため、この画像データでは、どの端末での筆記操作によりどのような描画がなされたのか、また、その最終描画位置はどこか、を一目で視認することができる。
【００７９】
こうして作成した画像データをパーソナルコンピュータ１は全ＰＤＡ２，２，‥‥に対して一括送信すると共に（ステップＤ１４）、自装置の表示部２１でも表示し（ステップＤ１５）、それから再び上記ステップＤ０２に戻って、次のＰＤＡ２，２，‥‥へのアクセスタイミングとなるのを待機する。
【００８０】
また、上記ステップＤ０８で少なくとも１つのインクデータに改ページ要求が付加設定されていたと判断した場合には、次にその時点で表示している資料画像データのページが最終ページであるか否かを確認し（ステップＤ０９）、最終ページでなければ、資料管理部１４から次のページの資料画像データを読出して展開し、記録部１９に記録して（ステップＤ１０）、これを全ＰＤＡ２，２，‥‥に対して一括送信すると共に（ステップＤ１１）、自装置の表示部２１でも表示し（ステップＤ１２）、それから再び上記ステップＤ０２に戻って、次のＰＤＡ２，２，‥‥へのアクセスタイミングとなるのを待機する。
【００８１】
なお、上記ステップＤ０９でその時点で表示している資料画像データのページが最終ページであると判断した場合には、それ以上のページ更新を行なうことはできないものとして、上記ステップＤ１３に進み、その最終ページの資料画像と全ＰＤＡ２，２，‥‥からのインクデータとの重畳画像の作成に移行する。
【００８２】
以下、個々の端末装置側のＰＤＡ２，２，‥‥ではその端末固有のＩＤ情報を付加したインクデータを送信し、これを受ける画像管理装置であるパーソナルコンピュータ１はＩＤ情報を付加したインクデータをレイヤー構造を有するものとして記録部１９に記録して管理しながら、それらを重畳した画像データを作成して全ＰＤＡ２，２，‥‥に一括送信し、且つ要求に応じて資料画像のページ更新を行なう、という処理を繰返し実行する。
【００８３】
図１３は、このとき記録部１９に記録される資料画像と各ＰＤＡ２，２，‥‥からの手書きによるインクデータの記録状態を例示するもので、複数の資料ページに対応するようにして、それぞれ改ページマークＮＰを含む元の資料データと、全ＰＤＡ２，２，‥‥から取得したインクデータとを混在させず、分離したレイヤー（多層）構造としたインクデータとが管理されていることがわかる。
【００８４】
このように、上記第１の実施の形態の効果に加えて、複数ページに渡って各ページ毎に画像を管理することとなり、各種の資料など取扱うことのできる画像の範囲を大きく広げることができる。
【００８５】
（第３の実施の形態）  
以下本発明をノートブックタイプのパーソナルコンピュータを画像管理装置とし、ペン入力タイプの複数のＰＤＡを端末装置とした画像共有システムに適用した場合の第３の実施の形態について図面を参照して説明する。
【００８６】
なお、システム全体の外観構成については上記図１に示したものとほぼ同様であり、同一部分には同一符号を用いるものとして、その図示と説明とを省略する。  
次いで図１４により画像管理装置であるパーソナルコンピュータ１の機能構成を示す。この図１４においても、パーソナルコンピュータ１の基本的な機能構成は上記図１０に示したものと基本的には同様であるので、同一部分には同一符号を付してその説明を省略する。
【００８７】
しかして、制御部１１にはさらに、複数のテンプレート画像データを記憶しているテンプレート記憶部４２が接続されるものとする。
【００８８】
なお、端末装置であるＰＤＡ２の機能構成については、上記図３に示したものとほぼ同様であるので、同一部分には同一符号を付してその説明を省略する。
【００８９】
次に上記実施の形態の動作について説明する。
【００９０】
図１５は、端末装置であるＰＤＡ２側の画像データの取扱いに関する、主として制御部３１による処理内容を示すもので、その当初に、スタライスペン２ｂによるタブレット入力部４０への筆記操作があるか否か（ステップＥ０１）、特に表示されている画像データ中の改ページマークを指示する操作があったか否か（ステップＥ０４）、または表示されている画像データ中のいくつかのテンプレートマークのうちのいずれかを指示する操作があったか否か（ステップＥ０６）、パーソナルコンピュータ１からインクデータの送信要求があるか否か（ステップＥ０８）、パーソナルコンピュータ１から画像データを受信したか否か（ステップＥ１０）を繰返し判断することで、これらのいずれかの状態となるのを待機する。
【００９１】
しかして、スタライスペン２ｂによりタブレット入力部４０への筆記操作があった場合、ステップＥ０１でこれを判断し、その操作位置に応じた時系列上の二次元座標値データをインクデータとしてインクデータ記憶部３７に更新記憶させると共に（ステップＥ０２）、当該筆記操作位置に対応する筆跡の表示データをリアルタイムで作成して表示制御部３５より表示部３９に表示させ、あたかもスタライスペン２ｂで直接表示部３９上に描画を行なっているような表示制御を実行した上（ステップＥ０３）で、上記ステップＥ０４に進む、という処理を繰返し実行することで、スタライスペン２ｂでの筆記操作に伴うインクデータをインクデータ記憶部３７に蓄積すると共に、その操作に対応した筆跡を表示させていく。
【００９２】
このときタブレット入力部４０の例えば左上端を基点としてその横方向をｘ座標、縦方向をｙ座標とし、一連の筆記操作、すなわちスタライスペン２ｂがタブレット入力部４０に当接されてから離間されるまでに移動した軌跡の範囲をｘ座標値が「ｘ０」から「ｘ１」まで、ｙ座標値が「ｙ０」から「ｙ１」までとすると、筆記操作された軌跡中の任意の１点の座標位置は「ｘｍ，ｙｎ」（ｘ０≦ｘｍ≦ｘ１，ｙ０≦ｙｎ≦ｙ１）で表すことができる。
【００９３】
したがって、このような点座標を配列した一連のデータでインクデータを形成することができるもので、筆記操作に対応してインクデータ記憶部３７に順次インクデータが蓄積されていく。
【００９４】
また、表示されている画像データ中の特に改ページマークを指示する操作があった場合、ステップＥ０４でこれを判断し、インクデータ記憶部３７にインクデータに付加する形で改ページ要求のデータを記憶させておき（ステップＥ０５）、それから上記ステップＥ０６に進む。
【００９５】
さらに、表示されている画像データ中の特にいくつか用意されるテンプレート画像マークのうちのいずれかを指示する操作があった場合には、ステップＥ０６でこれを判断し、インクデータ記憶部３７にインクデータに付加する形で当該番号のテンプレート画像の挿入要求のデータを記憶させておき（ステップＥ０７）、それから上記ステップＥ０８に進む。
【００９６】
また、パーソナルコンピュータ１からインクデータの送信要求を受信した場合には、ステップＥ０８でこれを判断し、その時点でインクデータ記憶部３７に記憶しているインクデータを用いて所定のフォーマットの送信データを作成し、無線通信部３４、アンテナ３８を介してパーソナルコンピュータ１側へ送信出力させ（ステップＥ０９）、次いで上記ステップＥ１０に至る。
【００９７】
このとき作成されるインクデータのフォーマット構成は、ほぼ上記図７に示した内容とほぼ同様であり、インクデータ記憶部３７に記憶されていたインクデータがそのまま読出されると共に、このＰＤＡ２固有の端末ＩＤ情報と、この表示部３９及びタブレット入力部４０の表示／入力分解能を示す端末解像度、表示部３９及びタブレット入力部４０のｘ座標及びｙ座標の各最大値を示す絶対アドレス、及び線の太さや線種等を示すインクデータが一組のデータとして作成されると共に、加えて上記ステップＥ０４で改ページマークを指示する操作があったと判断した場合には、改ページ要求のデータが、上記ステップＥ０６でテンプレート画像データの挿入を指示する操作があった場合には当該番号のテンプレート要求のデータがそれぞれ付加設定される。
【００９８】
上記インクデータ記憶部３７からインクデータを読出してフォーマット化するのに際し、インクデータ記憶部３７では読出したインクデータを自動的に消去し、後述する画像データの受信と表示により内容が重複することをできる限り回避する。
【００９９】
さらに、上記ステップＥ１０にてパーソナルコンピュータ１から送ってきた画像データを受信したと判断した場合、制御部３１は受信したデータを画像記憶部３３に記憶させると共にその画像データとインクデータ記憶部３７に記憶されているインクデータをそれぞれ展開して重畳することで表示データを作成し、表示制御部３５により表示部３９で表示させた後（ステップＥ１１）、再び上記ステップＥ０１からの処理に戻る。
【０１００】
以上のように、ＰＤＡ２側では筆記操作に伴うインクデータの作成と、改ページマークの操作に伴う改ページ情報の記憶、いくつかのテンプレート画像マークのうちのいずれかの操作に伴うテンプレート番号情報の記憶、パーソナルコンピュータ１からの要求に応答したインクデータと改ページ要求またはテンプレート挿入の要求の送信、及びパーソナルコンピュータ１からの画像データの受信並びに表示を順次実行する。
【０１０１】
次に、上記のように動作する複数のＰＤＡ２，２，‥‥を統括する画像管理装置としてのパーソナルコンピュータ１の動作について図１６により説明する。  
すなわち図１６は、パーソナルコンピュータ１が画像管理装置としてこの画像共有システム内で実行する統括制御処理の内容を示すもので、その当初には、資料管理部１４に記憶される最初のページの資料画像データを読出して展開し、記録部１９に記録した上で（ステップＦ０１）、タイマ１３の計時内容により例えば５［秒］毎の各ＰＤＡ２，２，‥‥へのアクセスタイミングとなるのを待機する（ステップＦ０２）。
【０１０２】
そして、アクセスタイミングとなったと判断した時点で、複数のＰＤＡ２，２，‥‥の１つを選択するための端末ＩＤ変数ｉに初期値「１」を設定し（ステップＦ０３）、まず端末ＩＤ情報が「１」であるＰＤＡ２に対してインクデータの送信要求を送信し、この要求に対応して送られてくるインクデータ（及び付加されている改ページ要求及びテンプレート番号挿入要求）を受信して取得し（ステップＦ０４）、記録部１９に記録する（ステップＦ０５）。
【０１０３】
次いで、端末ＩＤ変数ｉを「＋１」更新設定して「２」とし（ステップＦ０６）、この更新設定した値が全ＰＤＡ２，２，‥‥の総数「ｎ」を超えていないことを確認した上で（ステップＦ０７）、再び上記ステップＦ０４からの処理に戻り、次の端末ＩＤ情報に該当するＰＤＡ２からもインクデータを取得する。
【０１０４】
こうしてステップＦ０４〜Ｂ０７の処理を繰返し実行することで、端末ＩＤ情報を更新設定しながらその該当する端末装置であるＰＤＡ２からインクデータとそれに付加されている要求データを取得して記録する、という処理を順次行なう。
【０１０５】
そして、すべてのＰＤＡ２，２，‥‥からインクデータを取得した状態で、ステップＦ０６において端末ＩＤ変数ｉをＰＤＡ２，２，‥‥の総数「ｎ」を超える値「ｎ＋１」に更新設定すると、これをステップＦ０７で判断し、すべてのＰＤＡ２，２，‥‥からのインクデータの取得と記録とが終了したものと判断し、次に上記取得したインクデータ中の少なくとも１つに改ページ要求が付加設定されていたか否かを判断する（ステップＦ０８）。
【０１０６】
ここで、１つのインクデータにも改ページ要求が付加設定されていなかったと判断した場合には、次に上記取得したインクデータ中の少なくとも１つにテンプレート画像の番号と挿入要求のデータが付加設定されていたか否かを判断する（ステップＦ１３）。
【０１０７】
テンプレート画像の番号と挿入要求のデータが付加設定されていたと判断した場合にのみ、その要求された番号のテンプレート画像データをテンプレート記憶部４２から読出して展開し、記録部１９に記録させる（ステップＦ１４）。
【０１０８】
その後、記録部１９に記録されるその時点での現ページの資料画像データと、テンプレート画像が挿入されていればそのテンプレート画像に加えて、全ＰＤＡ２，２，‥‥からの対応するインクデータをさらに展開して重畳することで画像データを作成する（ステップＦ１５）。
【０１０９】
このとき、上記図９に示したようにＰＤＡ２，２，‥‥の端末ＩＤ情報に対して、予めその表示の有無や手書きされたインクデータに対応する色情報、及び表示ポインタの情報をレイヤ管理部１５に予め用意しておくものとすると、上記ステップＦ１５で元の資料データとインクデータとを展開して重畳した画像データを作成する際に、このレイヤ管理部１５の内容を参照して各ＰＤＡ２毎にインクデータの色等を設定された内容にしたがって作成することで、最終的に作成される画像データは、ＰＤＡ２毎にインクデータの内容が色分けされ、且つ描画の最終位置に形の異なるポインタが付加されることとなる。そのため、この画像データでは、どの端末での筆記操作によりどのような描画がなされたのか、また、その最終描画位置はどこか、を一目で視認することができる。
【０１１０】
こうして作成した画像データをパーソナルコンピュータ１は全ＰＤＡ２，２，‥‥に対して一括送信すると共に（ステップＦ１６）、自装置の表示部２１でも表示し（ステップＦ１７）、それから再び上記ステップＦ０２に戻って、次のＰＤＡ２，２，‥‥へのアクセスタイミングとなるのを待機する。
【０１１１】
また、上記ステップＦ０８で少なくとも１つのインクデータに改ページ要求が付加設定されていたと判断した場合には、次にその時点で表示している資料画像データのページが最終ページであるか否かを確認し（ステップＦ０９）、最終ページでなければ、資料管理部１４から次のページの資料画像データを読出して展開し、記録部１９に記録して（ステップＦ１０）、これを全ＰＤＡ２，２，‥‥に対して一括送信すると共に（ステップＦ１１）、自装置の表示部２１でも表示し（ステップＦ１２）、それから再び上記ステップＦ０２に戻って、次のＰＤＡ２，２，‥‥へのアクセスタイミングとなるのを待機する。
【０１１２】
なお、上記ステップＦ０９でその時点で表示している資料画像データのページが最終ページであると判断した場合には、それ以上のページ更新を行なうことはできないものとして、上記ステップＦ１３に進み、その最終ページの資料画像と全ＰＤＡ２，２，‥‥からのインクデータとの重畳画像の作成に移行する。
【０１１３】
以下、個々の端末装置側のＰＤＡ２，２，‥‥ではその端末固有のＩＤ情報を付加したインクデータと必要により改ページ要求、及びテンプレート画像の番号と挿入要求を送信し、これを受ける画像管理装置であるパーソナルコンピュータ１はＩＤ情報を付加したインクデータその他をレイヤー構造を有するものとして記録部１９に記録して管理しながら、それらを重畳した画像データを作成して全ＰＤＡ２，２，‥‥に一括送信し、且つ要求に応じて資料画像のページ更新とテンプレート画像の挿入を行なう、という処理を繰返し実行する。
【０１１４】
図１７は、このとき記録部１９に記録される資料画像と各ＰＤＡ２，２，‥‥からの手書きによるインクデータの記録状態を例示するもので、複数の資料ページに対応するようにして、それぞれ改ページマークＮＰを含む元の資料データと、全ＰＤＡ２，２，‥‥から取得したインクデータとを混在させず、分離したレイヤー（多層）構造としたインクデータとが管理されていることがわかる。
【０１１５】
また特に、資料１ページ（Ｐ１）のインクデータに対応してナンバー２のテンプレート画像が挿入されていることを例示するもので、このテンプレート画像はＰＤＡ２，２，‥‥のうちのいずれかの要求に応じて上記テンプレート記憶部４２から選択的に読出されて挿入されたものである。
【０１１６】
このように、上記第１及び第２の実施の形態の効果に加えて、テンプレート画像として複数の内容を予め用意し、端末装置側からの要求に応答して適宜その内容を元の資料画像、及びＰＤＡ２，２，‥‥からの手書き操作によるインクデータと共に画像として重畳して新たな画像を作成することができるため、書込む内容のバリエーションを増加し、より表現力を増した書込みを実行することができる。
【０１１７】
なお、上記第１乃至第３の実施の形態は、いずれもパーソナルコンピュータ１を画像管理装置とし、ＰＤＡ２，２，‥‥を端末装置として画像共有システムを構築した場合について適用したものであるが、本発明はこれに限るものではなく、例えばインターネットのチャット形式によりウェブサーバが元となる資料画像を提供し、デジタイザ等の入力装置を用いた個々のパーソナルコンピュータから書込んだデータを送信するような画像共有システムを考えることもできるし、あるいは表示画面に手指による筆記操作で簡単な描画ができるような機能を持たせた携帯電話機を幾人かに所持させ、資料画像として特定の地図画像を用いてナビゲーション指示する、追跡ゲームのようなコンテンツを提供するシステムにも容易に適用できる。
【０１１８】
その他、本発明は上記実施の形態に限らず、その要旨を逸脱しない範囲内で種々変形して実施することが可能であるものとする。
【０１１９】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１２０】
【図１】本発明の第１の実施の形態に係るシステム全体の外観構成を示す図。
【図２】同実施の形態に係るパーソナルコンピュータの画像管理装置としての機能構成を示すブロック図。
【図３】同実施の形態に係るＰＤＡの端末装置としての機能構成を示すブロック図。
【図４】同実施の形態に係るＰＤＡの画像データの取扱いの処理内容を示すフローチャート。
【図５】同実施の形態に係るパーソナルコンピュータの画像データの取扱いの処理内容を示すフローチャート。
【図６】同実施の形態に係る筆記動作に伴う描画表示内容とインクデータの生成範囲とを示す図。
【図７】同実施の形態に係るインクデータのフォーマット構成を例示する図。
【図８】同実施の形態に係るパーソナルコンピュータの記録部で管理されるレイヤー構造の画像データを例示する図。
【図９】同実施の形態に係るパーソナルコンピュータのレイヤ管理部で管理する各ＰＤＡのＩＤ情報その他の構成を例示する図。
【図１０】本発明の第２の実施の形態に係るパーソナルコンピュータの画像管理装置としての機能構成を示すブロック図。
【図１１】同実施の形態に係るＰＤＡの画像データの取扱いの処理内容を示すフローチャート。
【図１２】同実施の形態に係るパーソナルコンピュータの画像データの取扱いの処理内容を示すフローチャート。
【図１３】同実施の形態に係るパーソナルコンピュータの記録部で管理されるレイヤー構造の画像データを例示する図。
【図１４】本発明の第３の実施の形態に係るパーソナルコンピュータの画像管理装置としての機能構成を示すブロック図。
【図１５】同実施の形態に係るＰＤＡの画像データの取扱いの処理内容を示すフローチャート。
【図１６】同実施の形態に係るパーソナルコンピュータの画像データの取扱いの処理内容を示すフローチャート。
【図１７】同実施の形態に係るパーソナルコンピュータの記録部で管理されるレイヤー構造の画像データを例示する図。
【符号の説明】
【０１２１】
１…パーソナルコンピュータ（ＰＣ）、２…ＰＤＡ、２ａ…ＰＤＡ本体、２ｂ…スタライスペン、３…プロジェクタ、１１…制御部、１２…キー入力部、１３…タイマ、１４…資料管理部、１５…レイヤ管理部、１６…無線通信部、１７…表示制御部、１８…画像変換部、１９…記録部、２０…アンテナ、２１…表示部、３１…制御部、３２…キー入力部、３３…画像記憶部、３４…無線通信部、３５…表示制御部、３６…タブレット制御部、３７…インクデータ記憶部、３８…アンテナ、３９…表示部、４０…タブレット入力部、４１…ページ管理部、４２…テンプレート記憶部、ＮＰ…改ページマーク、ＴＭＰ１〜ＴＭＰ３…テンプレートマーク。
【図１】
2006018760.tif 000003
【図２】
2006018760.tif 000004
【図３】
2006018760.tif 000005
【図４】
2006018760.tif 000006
【図５】
2006018760.tif 000007
【図６】
2006018760.tif 000008
【図７】
2006018760.tif 000009
【図８】
2006018760.tif 000010
【図９】
2006018760.tif 000011
【図１０】
2006018760.tif 000012
【図１１】
2006018760.tif 000013
【図１２】
2006018760.tif 000014
【図１３】
2006018760.tif 000015
【図１４】
2006018760.tif 000016
【図１５】
2006018760.tif 000017
【図１６】
2006018760.tif 000018
【図１７】
2006018760.tif 000019